(57)【特許請求の範囲】
【請求項１】
保護対象の物品へ適用するための盗難防止装置であって、
有害な物質を内部に封止して含む細長い脆性の小瓶であり、この小瓶が破壊される場合に、前記有害な物質が前記物品に損害を与える小瓶と、
ロック式に相補的に係合するように構成された第１の構成部品および第２の構成部品であり、その第１の構成部品は、前記小瓶を含むように構成された空洞部を含み、前記小瓶を第１の構成部品に配置するようにされた第１の構成部品および第２の構成部品と、
前記小瓶に固定される第１の端部と、第１の構成部品から突出する第２の端部とを有するピンであり、第２の構成部品が、前記ピンの第２の端部を握持するクラッチを含んで、第１の構成部品と第２の構成部品との間のロック係合をもたらすピンと、
前記ピンを前記小瓶へ取り付けるためのスリーブ部材であり、このスリーブ部材は、前記小瓶を長手方向の向きで収容するシリンダー状の開口を有すると共に、前記ピンの第１の端部に係合可能なピン保持手段を含み、そのピンの第１の端部は平頭ピン頭部として形成され、前記ピン保持手段は、前記ピンの第１の端部の一部を受け入れるスロットを含み、
このスロットは、前記平頭ピン頭部に係合するように構成されており、製造時に摺動式に挿入可能とするが、組み立てられた装置においては、前記スリーブ部材に関する前記ピンの垂直変位を防止するように構成されている装置。
【請求項２】
前記空洞部が、前記ピンに下方への力がかけられるときに、前記小瓶の破壊を早めるために、前記ピンの第１の端部に係合可能な前記ピン保持手段と協働するように位置決めされた少なくとも１つの突起を内部に含む請求項１に記載の装置。
【請求項３】
前記スロットが前記ピン及び前記ピン頭部の側部プロファイルを補完するT字状開口を与え、前記ピンがその中へ挿入されて、前記T字状開口が前記ピンの前記ピン頭部を支持する請求項１に記載の装置。
【請求項４】
前記スリーブ部材は、前記ピンの第１の端部の形態を補完する形状を有するスロット開口を含み、その中へ前記ピンを保持するように適合されている請求項１に記載の装置。
【請求項５】
前記スリーブ部材の前記スロット開口は、圧入方式で前記ピンの第１端部を受け入れることにより、前記スリーブ部材は前記ピンに対して固定される請求項４に記載の装置。
【発明の詳細な説明】
【技術分野】
【０００１】
本発明は、一般的に利益享受の阻止（ｂｅｎｅｆｉｔ  ｄｅｎｉａｌ）を与える盗難防止装置に関し、更に詳しくは、許可なくタグを取り外そうとする場合に物品を恒久的に染色することにより、物品の盗難防止に使用される改良型盗難防止用インクタグに関する。
【背景技術】
【０００２】
従来技術には、衣類から許可なくタグを取り外そうとするときに衣類の布地を染色するインクを使用する「利益享受の阻止」型の従来の盗難防止装置が多数ある。通常、インクはタグの筐体に保持されるガラスや硬質プラスチックで構成されたチューブや小瓶などの１つ以上の脆性の容器に入れられる。筐体は保護対象の衣類に、許可された者が特殊な解除装置を使用すると解除できるタイプのアタッチメント構造によって固定されている。そのようなアタッチメントは一般的に、タグの一部分に保持される鋲の形態をしており、タグの別の部分に保持される受口まで衣類の布地の層に押し通される。小瓶内に入れられている物質は、小瓶が破損してその物質を放出するように破壊要素が屈曲した場合に放出される。
【０００３】
公知の装置は一般に、液体染色剤や消えないインク液を含む２つの封止されたシリンダー状のガラス小瓶を組み立てたものであり、各小瓶は、鋲の垂直軸に平行してあり、かつ溝付き鋲（釘）に取り付けられかつ上部に沿ってあるかまたは小瓶を囲むブレーカプレートを必要とし、溝付き鋲または釘が小瓶の強度を上回る圧縮力を伝達する場合にインク小瓶を圧力で破損するようにしている。
【０００４】
公知のインク−鋲タイプの防止装置では、インクタグに対して鋲を対称的に配置するためには、通常少なくとも２つのインク小瓶を使用する必要がある。２つ以上のインク小瓶を鋲組立体に使用する場合、各小瓶を破壊するために、より広範囲の圧縮力が必要となり、かつ製品のサイズが大きくなり、製造費が高くなる。
【発明の概要】
【発明が解決しようとする課題】
【０００５】
従って、鋲を中心として対称的な単一の小瓶を使用するように構成される改良型のインクタグ設計を与えることは特に有利である。本明細書に開示されるような単一の小瓶を用いるインクタグは、従来技術のインクタグよりも小瓶を破裂させるために必要な圧縮力が少なく、かつまた必要な圧力をよりよく制御する。製品のサイズもまた有利に小さくなり、それにより製造コストも削減される。
【課題を解決するための手段】
【０００６】
保護対象の物品へ適用するための盗難防止インクタグ装置が第１の構成部品および第２の構成部品を含み、これらの構成部品は、ロック係合してそれらの間に物品を固定するように構成されていて、第１の構成部品内には、破壊される場合に物品に損害を与える有害物質を含む脆性の小瓶（ｖｉｌｅ）が配置される。第１の構成部品から突出するピンが、好適なアタッチメント構造を用いて小瓶に固定された第１の端部を有する。アタッチメント構造は、密接に係合した配置で小瓶の一部を取り囲む孔を提供し、かつ許可なく、取り外そうとする場合に小瓶を割って有害な物質を放出させる働きもする。ピンおよびアタッチメント構造を一体的に形成することができ、またはその代わりに、アタッチメント構造を別個の部品として形成してピンに取り付けることができる。
【０００７】
本発明の一実施形態による盗難防止用インクタグは、一体部品の鳩目ピンを含む。鳩目ピンは一体式リングを含み、そのリングはインク小瓶を取り囲み、取り外そうとする場合に小瓶を割る働きをする。鳩目リングを、ピンに対して対称的に、またはピンの中心軸からずらして形成することができる。鳩目リングは、閉鎖リングであっても開放リングであってもよい。別の実施形態では、ピンを、小瓶を長手方向の向きで収容するためにシリンダー状の孔を有するピン保持スリーブに取り付けることができる。
【図面の簡単な説明】
【０００８】
【図１Ａ】第１の構成部品内に配置された脆性の小瓶を示して、本発明による盗難防止装置の第１および第２の構成部品を分離した構成で示す断面図である。
【図１Ｂ】第１の構成部品の実施形態の斜視図である。
【図１Ｃ】図１Ａの第１の構成部品の断面側端図である。
【図２】本発明の一実施形態による一体型のアタッチメント構造を有するピンと共に、脆性の小瓶を示す。
【図３】別の実施形態による一体型のアタッチメント構造を有するピンを示す。
【図４】許可なく、取り外そうとするときに小瓶にかかる圧力を示す。
【図５】ピンの軸からアタッチメント構造がずれている、ピンの別の実施形態を示す。
【図６】アタッチメント構造をピン保持スリーブとして形成する別の実施形態を示す。
【図７】図４の実施形態の代替的な構成を示す。
【図８】アタッチメント構造を可撓性ループとして形成するさらに別の実施形態を示す。
【図９】アタッチメント構造を、別個の部品として形成してからピンに取り付ける略環状部分として形成するさらに別の実施形態を示す。
【発明を実施するための形態】
【０００９】
説明を単純かつ容易にするため、本発明を、本明細書においてその種々の実施形態と併せて説明する。しかしながら、当業者は、本発明の特徴および利点を種々の構成で実施できることを認識するであろう。それゆえ、本明細書に記載する実施形態を、限定ではなく一例として提示することを理解されたい。
【００１０】
図１Ａ−Ｃに、本発明の一実施形態によるインク鋲タイプの盗難防止装置１０を示す。装置１０は第１の構成部品２０および第２の構成部品３０を含み、これらの構成部品は、ロック式に相補的に係合して、保護対象の物品（図示せず）の一部をそれらの間に固定するように構成されている。第１の構成部品２０および第２の構成部品３０を、プラスチックなどの任意の好適な硬質材料から形成できる。第１の構成部品２０および第２の構成部品３０を、第１の構成部品から延出するピン１５と、第２の構成部品３０にある協働クラッチ３１とを使用して一緒にロックできる。ピン１５は、第１の構成部品２０内に配置された第１の上端部（全体的に１７と称す）と、平坦な下壁部２１から外方に突出する第２の穿孔端部４０とを有する。第２の構成部品３０にあるクラッチ３１を、ピン１５を握持するように構成する。使用するとき、ピン１５は保護対象の物品の一部を穿孔し、ピン１５をクラッチ３１に挿入することにより第１および第２の構成部品を一緒にロックする。ピン１５、クラッチ３１および盗難防止装置から保護物品を切り離すために、クラッチ３１の握持からピン１５を解除して第１の構成部品２０を第２の構成部品３０からロック解除する技術が、Ｌｉｎｃｏｌｎ  Ｈ．Ｃｈａｒｌｏｔ，Ｊｒ．の米国特許第４，５２３，３５６号明細書に記載されている。
【００１１】
第１の構成部品２０の内部には、封止された細長い小瓶６０を含むように構成された空洞部１４が形成されている。図示の小瓶６０の構成はシリンダー状であるが、本発明は、その点については限定されない。小瓶６０は、ガラスや脆性プラスチックなどの脆性材料で作製され、長手方向の曲げモーメントをかけられると容易に破損する。小瓶は、放出時に恒久的に物品を染色して跡を残すインクなどの盗難防止用物質や他の有害な物質で満たされている。染色物質に加えて、漂白剤、またはガス、液体または粉体形状の悪臭のする物質、煙を発生する物質もしくは肌を刺激する物質など、他の多くのタイプの物質を使用して有害な影響をもたらすことができる。好ましくは小瓶６０を透明または半透明材料で作製するので、有害な物質の状態を点検することができ、かつ一般の人もその内容物の存在に気づく。
【００１２】
第１の構成部品２０および第２の構成部品３０のどちらか一方または双方とも、その内部にＥＡＳタグまたはラベルが配置されて、保護物品の安全性を高めることができる。図１に示すように、第２の構成部品３０はＥＡＳタグまたはラベル１３０を含む。
【００１３】
空洞部１４内に閉じこめられた小瓶６０にピン１５を固定することにより、ピン１５の第１の端部１７を空洞部１４内に固定する。ピン１７の第１の端部を小瓶６０に取り付けて、ピン１５の軸が下壁部２１の開口部４２を通って延在するようにする。開口部４２は、ピン１５の軸と接近して整列して下壁部２１に対してほぼ垂直にピン１５を維持する大きさにするが、直径は、ピン１５が空洞部１４に対してある程度上下移動できる程度に十分に大きい。本明細書で開示するこの実施形態および他の実施形態では、アタッチメント構造は、ピン１５を小瓶６０に取り付ける働きをし、かつまた、許可なく、取り外そうとする場合に小瓶６０を割るように有利に機能する。
【００１４】
図４に示すように、衣類からの装置１０の許可された取り外しのために第１の構成部品と第２の構成部品を分離させようとする試みは、ピン１５に下方への力をもたらし、それにより空洞部１４に対してピン１５が下方に動いて、第１の端部１７が小瓶６０を割って有害な物質を放出する。第１の構成部品２０の下壁部２１は、小瓶６０が割れたときに、有害な物質の散布を支援する他の開口部を含むことができる。小瓶６０の長手方向の中心は、通常破壊に対して最も脆弱な領域であるので、図示の実施形態においてはピン１５を小瓶６０のほぼ長手方向の中心に配置する。しかしながら、代替的な設計では、ピン１５を小瓶６０に沿って非対称的に位置決めすることもできる。
【００１５】
空洞部１４を、様々な位置において圧力点を提供するように形成することができる。圧力点は、ピン１５に下方への力がかけられたときに小瓶６０の破壊を早める働きをする。図４に示すように、空洞部は、例えば、許可なく、取り外そうとする場合に、予め定められた圧力点に位置決めされかつアタッチメント構造と協働して小瓶６０を割る突起４８および４９を含むことができる。
【００１６】
図２、３および５に示す実施形態では、ピン１５およびアタッチメント構造を単一の部品として形成する。この実施形態では、ピン１５の第１の端部１７を、小瓶６０と密接に摺動係合するように構成された孔または鳩目２７として形成する。孔または鳩目２７は、小瓶６０と係合してピンを固定しかつ小瓶に適切に好適な破損力をかけもする任意の好適な構成を有することができる。第１の端部１７を、図３に示す開放リング（またはフック）構成として形成することもできる。図５に示すように、ピン１５の第１の端部１７を、一体式に形成された孔または鳩目２７として構成することができ、孔または鳩目は、ピン１５の軸に対して非対称的に位置決めされる。
【００１７】
図６に示す実施形態では、ピン１５を小瓶６０に固定するための手段は、スリーブ部材７７の形態であり、スリーブ部材は、小瓶６０を長手方向の向きで収容する大きさにされたシリンダー状の開口部７８を有することができる。スリーブ部材７７を、任意の好適なアタッチメント手段を用いてピン１５の第１の端部１７に取り付ける。図６に示す図示の実施形態では、ピン１５の第１の端部１７を平頭ピンの頭部８５として形成し、スリーブ部材７７はスロット７９を含み、スロットは、ピンの頭部８５と係合して製造時に摺動式に挿入可能とするが、組み立てられた装置１０においてスリーブ部材７７に対するピン１５の垂直変位を妨げる構成とする。この実施形態では、スロット７０は、ピン１５およびピンの頭部８５の側面の形状に相補的であるＴ字形の開口部を提供し、そこにピン１５を挿入して、Ｔ字形の開口部がピン１５のピンの頭部８５を支持できるようにする。この構成により、下方への動きを用いる、スリーブからのピン１５の強制的な抜き取りを回避する。なぜなら、第１の構成部品２０が完全に組み立てられた場合にピン１５の側方変位が妨げられるからである。
【００１８】
図７に、フック８６として形成された第１の端部１７を有するピンと使用するように構成されたスリーブ部材７７の別の実施形態を示す。この実施形態では、スリーブ部材７８は、フック８６と係合してピン１５を固定しかつ下方への力を用いた抜き取りを回避するように構成されたスロット１７９を含む。スリーブ部材７８を同様に、ピンを保持するために、ピン１５の第１の端部１７の任意の所望の構成に相補的な形状を有するスロット開口部を含むように構成できる。スリーブ部材７８は孔を含んで圧入式に第１の端部１７を収容するので、スリーブ部材７８はピン１５にしっかりと固定される。
【００１９】
図８に、さらに別の実施形態を示す。ここでは、アタッチメント構造を、ピン１５の第１の端部１７に取り付けられた可撓性ループ５２として形成する。可撓性ループ５２は、力がかけられるときに小瓶６０を破損させるのに充分な強度を有する任意の材料、例えばワイヤ、プラスチック線などであることができる。この実施形態では、ピン１５はスレッド孔（ｔｈｒｅａｄｉｎｇ  ａｐｅｒｔｕｒｅ）５４を含み、そこに通して可撓性ループを固定できる。
【００２０】
図９に、さらに別の実施形態を示す。ここでは、アタッチメント構造を、別個の部品として形成してからピン１５の第１の端部１７に取り付ける全体的に環状の部分（鳩目リング）１０１として形成する。鳩目リング１０１は、小瓶と係合するように構成し、かつ任意の好適な材料、例えば金属、シートメタル、ワイヤ、プラスチック、複合材、繊維などから形成できる。鳩目リング１０１を、任意の好適な方法、例えば溶接、ボンディング、スナップ嵌め、フッキング、リベット締め、スエージ加工などを用いてピン１５に取り付ける。
【００２１】
鳩目リングを、図９に示すような閉鎖リング形状、または開口部を有するリングに形成できる。他の実施形態では、アタッチメント構造は、非環状構成を有することができる。アタッチメント構造は、力がかけられたときにインク小瓶を囲んで破壊する働きをする任意の好適な形状を有し得る。
【００２２】
本明細書において説明するように実施形態の一部の特徴を示したが、当業者は、ここで多くの修正例、代替例、変更例および等価物に気づくであろう。それゆえ、添付の特許請求の範囲は、実施形態の真の趣旨の範囲内であるそのような修正例および変更例をすべて網羅するものであることを理解されたい。
【図１Ａ】
0005456487.tif 000002
【図１Ｂ】
0005456487.tif 000003
【図１Ｃ】
0005456487.tif 000004
【図２】
0005456487.tif 000005
【図３】
0005456487.tif 000006
【図４】
0005456487.tif 000007
【図５】
0005456487.tif 000008
【図６】
0005456487.tif 000009
【図７】
0005456487.tif 000010
【図８】
0005456487.tif 000011
【図９】
0005456487.tif 000012